【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
少なくとも一つの記録層を備えた１回だけ記録可能な光記録媒体の欠陥管理方法において、
前記光記録媒体上に少なくとも一つの代替領域と、複数の仮欠陥管理領域を割り当てるステップであって、前記複数の仮欠陥管理領域を分けて割り当てるステップと、
前記複数の仮欠陥管理領域のうちの少なくとも一つに欠陥管理情報を記録するステップと、
を備えることを特徴とする光記録媒体の欠陥管理方法。
【請求項２】
前記割り当てるステップにおいて、前記複数の仮欠陥管理領域の少なくとも一つを前記光記録媒体の内周領域に割り当て、前記複数の仮欠陥管理領域の他の少なくとも一つを前記光記録媒体の外周領域に割り当てることを特徴とする請求項１に記載の光記録媒体の欠陥管理方法。
【請求項３】
前記割り当てるステップにおいて、前記複数の仮欠陥管理領域の一つを前記光記録媒体のリードイン領域内に割り当て、前記複数の仮欠陥管理領域の他の一つを前記光記録媒体のデータ領域の末尾に割り当てることを特徴とする請求項１に記載の光記録媒体の欠陥管理方法。
【請求項４】
前記割り当てるステップにおいて、前記複数の仮欠陥管理領域のうちの一つを前記光記録媒体のデータ領域の先頭部分に割り当て、前記複数の仮欠陥管理領域の他の一つを前記光記録媒体のデータ領域の末尾に割り当てることを特徴とする請求項１に記載の光記録媒体の欠陥管理方法。
【請求項５】
前記割り当てるステップは、
少なくとも一つの内側のスペア領域を割り当て、前記内側のスペア領域の少なくとも一部分を、欠陥領域を代替するための代替領域として活用するステップと、
少なくとも一つの外側のスペア領域を割り当て、前記外側のスペア領域の少なくとも一部分を、欠陥領域を代替するための代替領域として活用するステップと、
前記少なくとも一つのインナー・スペア領域及び前記少なくとも１つの外側のスペア領域のうちの少なくとも一つの一部を、欠陥管理情報を管理するための仮欠陥管理領域として割り当てるステップと、
をさらに備えることを特徴とする請求項１に記載の光記録媒体の欠陥管理方法。
【請求項６】
前記割り当てるステップにおいて、前記少なくとも一つのインナー・スペア領域は、第１のインナー・スペア領域を含み、当該インナー・スペア領域の割り当てられた全領域を、欠陥領域を代替するための領域として活用することを特徴とする請求項５に記載の光記録媒体の欠陥管理方法。
【請求項７】
前記割り当てるステップにおいて、前記少なくとも一つのインナー・スペア領域は、データ領域の先頭部分に割り当てられる第１のインナー・スペア領域を含み、前記少なくとも一つのアウター・スペア領域は、前記データ領域の末尾に割り当てられる第１のアウター・スペア領域を含むことを特徴とする請求項５に記載の光記録媒体の欠陥管理方法。
【請求項８】
前記複数の仮欠陥管理領域のうちの第１の領域は、固定されたサイズを有し、前記複数の仮欠陥管理領域のうちの第２の領域は、可変可能なサイズを有することを特徴とする請求項１に記載の光記録媒体の欠陥管理方法。
【請求項９】
前記割り当てるステップにおいて、前記複数の仮欠陥管理領域のうちの第１の領域をリードイン領域に割り当て、前記複数の仮欠陥管理領域のうちの第２の領域を外側のスペア領域に割り当てることを特徴とする請求項８に記載の光記録媒体の欠陥管理方法。
【請求項１０】
前記割り当てるステップにおいて、前記複数の仮欠陥管理領域のうちの前記第１の領域及び前記第２の領域を前記光記録媒体の内側のスペア領域と外側のスペア領域にそれぞれ割り当てることを特徴とする請求項８に記載の光記録媒体の欠陥管理方法。
【請求項１１】
前記割り当てるステップにおいて、前記光記録媒体は、第１の記録層および第２の記録層の、少なくとも二つの記録層を備え、前記第１の記録層は、固定されたサイズを有する仮欠陥管理領域と可変可能なサイズを有する仮欠陥管理領域を含み、前記第２の記録層は、固定されたサイズを有する仮欠陥管理領域と可変的なサイズを有する少なくとも一つの仮欠陥管理領域を含むことを特徴とする請求項１に記載の光記録媒体の欠陥管理方法。
【請求項１２】
固定されたサイズを有する前記複数の仮欠陥管理領域は、前記第１の記録層及び前記第２の記録層のリードイン領域内にそれぞれ配置され、前記可変可能なサイズを有する前記複数の仮欠陥管理領域は、前記第１の記録層及び前記第２の記録層の外側のスペア領域内にそれぞれ配置されることを特徴とする請求項１１に記載の光記録媒体の欠陥管理方法。
【請求項１３】
固定されたサイズを有する前記仮欠陥管理領域は、前記第１の記録層及び前記第２の記録層の内側のスペア領域内にそれぞれ配置され、可変可能なサイズを有する前記仮欠陥管理領域は、前記第１の記録層及び前記第２の記録層の外側のスペア領域内にそれぞれ配置されることを特徴とする請求項１１に記載の光記録媒体の欠陥管理方法。
【請求項１４】
前記割り当てるステップにおいて、前記第１の記録層は、その全領域が欠陥領域を代替するための代替領域として活用される第１の内側のスペア領域と、可変的な割り当てサイズを有する前記外側のスペア領域を含み、前記第２の記録層は、第２の内側のスペア領域と前記外側のスペア領域を含むことを特徴とする請求項１２に記載の光記録媒体の欠陥管理方法。
【請求項１５】
前記記録媒体は、１回だけ記録可能なブルーレイ・ディスク（ＢＤ−ＷＯ）であることを特徴とする請求項１に記載の光記録媒体の欠陥管理方法。
【請求項１６】
前記記録ステップにおいて、前記欠陥管理情報は、少なくとも１つの仮欠陥リスト（ＴＤＦＬ）と、少なくとも１つの仮ディスク定義構造（ＴＤＤＳ）を含むことを特徴とする請求項１に記載の光記録媒体の欠陥管理方法。
【請求項１７】
前記第１の仮欠陥管理領域及び前記第２の仮欠陥管理領域は、順次に連続して使用されることを特徴とする請求項８に記載の光記録媒体の欠陥管理方法。
【請求項１８】
前記複数の仮欠陥管理領域からなる前記第１及び第２の仮欠陥管理領域は、互いに優先することなく、ランダムに使用されることを特徴とする請求項８に記載の光記録媒体の欠陥管理方法。
【請求項１９】
前記仮欠陥リスト（ＴＤＦＬ）と前記仮ディスク定義構造（ＴＤＤＳ）とは、別々に記録されることを特徴とする請求項１６に記載の光記録媒体の欠陥管理方法。
【請求項２０】
前記仮欠陥リスト（ＴＤＦＬ）と前記仮ディスク定義構造（ＴＤＤＳ）とは、統合されることを特徴とする請求項１６に記載の光記録媒体の欠陥管理方法。
【請求項２１】
前記複数の仮欠陥管理領域のどのエリアがフル（full）であるかの通知を提供する情報が、フル・フラグ（full flag）により示されることを特徴とする請求項１６に記載の光記録媒体の欠陥管理方法。
【請求項２２】
前記複数の仮欠陥管理領域それぞれのサイズは、ＴＤＤＳ内に記録されることを特徴とする請求項１６に記載の光記録媒体の欠陥管理方法。
【請求項２３】
少なくとも一つの記録層を備えた１回だけ記録可能な光記録媒体の欠陥を管理するための装置であって、
前記光記録媒体上に少なくとも一つの代替領域と、複数の仮欠陥管理領域を割り当てる手段であって、前記複数の仮欠陥管理領域を分けて備えるように、割り当てる手段と、
前記複数の仮欠陥管理領域の少なくとも一つに欠陥管理情報を記録する手段と、
を備えることを特徴とする装置。
【請求項２４】
１回だけ記録可能な光記録媒体であって、
少なくとも一つの代替領域を含むデータ領域と、
その上に割り当てられた複数の仮欠陥管理領域と
を備え、
前記複数の仮欠陥管理領域が分けて備えられ、前記複数の仮欠陥管理領域の少なくとも一つに欠陥管理情報が記録されることを特徴とする光記録媒体。
【請求項２５】
前記複数の仮欠陥管理領域のうちの少なくとも一つが、前記光記録媒体の内周領域に割り当てられ、前記複数の仮欠陥管理領域のうちの他の少なくとも一つが前記光記録媒体の外周領域に割り当てられていることを特徴とする請求項２４に記載の光記録媒体。
【請求項２６】
リードイン領域をさらに備え、
前記複数の仮欠陥管理領域のうちの一つは、前記光記録媒体の前記リードイン領域内に割り当てられ、前記複数の仮欠陥管理領域のうちの他の一つは、前記光記録媒体の前記データ領域の末尾に割り当てられていることを特徴とする請求項２４に記載の光記録媒体。
【請求項２７】
前記複数の仮欠陥管理領域のうちの一つは、前記光記録媒体の前記データ領域の先頭部分に割り当てられ、前記複数の仮欠陥管理領域のうちの他の一つは、前記光記録媒体の前記データ領域の末尾に割り当てられていることを特徴とする請求項２４に記載の光記録媒体。
【請求項２８】
前記データエリア内の少なくとも一つの内側のスペア領域であって、その少なくとも一部分が欠陥領域を代替するための代替領域として活用される少なくとも一つの内側のスペア領域と、
前記データエリア内の少なくとも一つの外側のスペア領域であって、その少なくとも一部分が欠陥領域を代替するための代替領域として活用される少なくとも一つの外側のスペア領域と
をさらに備え、
前記少なくとも一つの内側のスペア領域及び前記少なくとも一つの外側のスペア領域のうちの少なくとも一つの一部は、欠陥管理情報を管理するための仮欠陥管理領域として活用されることを特徴とする請求項２４に記載の光記録媒体。
【請求項２９】
前記複数の仮欠陥管理領域のうちの第１の領域は、固定されたサイズを有し、前記複数の仮欠陥管理領域のうちの第２の領域は、可変可能なサイズを有することを特徴とする請求項２４に記載の光記録媒体。
【請求項３０】
前記光記録媒体は、第１の記録層および第２に記録層の、少なくとも二つの記録層を備え、前記第１の記録層は、固定されたサイズを有する仮欠陥管理領域と可変的なサイズを有する仮欠陥管理領域を含み、前記第２の記録層は、固定されたサイズを有する仮欠陥管理領域と可変的なサイズを有する少なくとも一つの仮欠陥管理領域を含むことを特徴とする請求項２４に記載の光記録媒体。
【請求項３１】
前記欠陥管理情報は、少なくとも１つの仮欠陥リスト（ＴＤＦＬ）と、少なくとも一つの仮ディスク定義構造（ＴＤＤＳ）を含むことを特徴とする請求項２４に記載の光記録媒体。
【手続補正２】
【補正対象書類名】明細書
【補正対象項目名】０００２
【補正方法】変更
【補正の内容】
【０００２】
（背景技術）
光記録媒体として大容量のデータが記録可能な光ディスクが広く使用されている。現在、ブルーレイ・ディスク（Blu-ray Disc）のような新規な高密度デジタル汎用ディスク（ＨＤ−ＤＶＤ）が、開発中である。この種の媒体は、高画質のビデオデータと高音質のオーディオ・データを長時間記録し格納することができる。
【手続補正３】
【補正対象書類名】明細書
【補正対象項目名】０００３
【補正方法】変更
【補正の内容】
【０００３】
ブルーレイ・ディスク（Blu-ray Disc）は、４０５ｎｍ波長の青紫色レーザを使用する。この波長は、従来のＤＶＤに使用される赤色レーザよりも、短い。赤色レーザの波長は、６５０ｎｍである。ブルーレイ・ディスクは、厚さ１．２ｍｍ、直径１２ｃｍを有し、約０．１ｍｍの厚さを有する光透過層を有する。このため、従来のＤＶＤに比べて遥かに大量のデータを格納することができる。
【手続補正４】
【補正対象書類名】明細書
【補正対象項目名】０００４
【補正方法】変更
【補正の内容】
【０００４】
図１は、ブルーレイ・ディスクへデータを読み書きすることができる光ディスク装置を示す図である。同図に示すように、光ディスク装置は、光ディスク１０に信号を記録し、または再生するための光ピックアップ１１と、光ピックアップ１１で読み込んだ信号を再生信号へと処理し、または外部から入力されるデータ・ストリームを記録に適する記録信号へと変調し、及び信号処理するビデオ・ディスク・レコーダ（ＶＤＲ：Video Disc Recorder）システム１２と、外部から入力されるアナログ信号をエンコードし、エンコードされたアナログ信号をＶＤＲシステム１２へ出力するエンコーダ１３とを含む。
【手続補正５】
【補正対象書類名】明細書
【補正対象項目名】０００５
【補正方法】変更
【補正の内容】
【０００５】
ブルーレイ・ディスク（ＢＤ）の１タイプとして書き換え可能なタイプがあり、これをＢＤ−ＲＥ（Blu-ray Disc Rewritable）という。ＢＤ−ＲＥは、書き換え可能という特性を有し、これにより、記録媒体上に、繰り返し、ビデオまたはオーディオ・データを記録したり、消去したり、書き換えすることが可能である。
【手続補正６】
【補正対象書類名】明細書
【補正対象項目名】０００７
【補正方法】変更
【補正の内容】
【０００７】
前述した方式により構成される前記ＢＤ−ＲＥにおいて、図１に示す光学ディスク装置のＶＤＲシステム１２は、外部からの入力データを記録に適する記録信号へとエンコードし変調した後、エラー訂正ブロック（ECC Block）単位に対応するクラスタ（Cluster）単位で記録する。データを記録する途中に、ＢＤ−ＲＥのデータ領域に欠陥領域が存在する場合、欠陥領域に記録されたクラスタ単位のデータは、スペア領域例えば、ＢＤ−ＲＥ上のインナー・スペア領域（ＩＳＡ）にも記録される。一連の線形代替動作を実行することができる。
【手続補正７】
【補正対象書類名】明細書
【補正対象項目名】００１０
【補正方法】変更
【補正の内容】
【００１０】
これに関連して、第２のタイプのブルーレイ・ディスクとして、記録媒体上にデータを繰り返し記録できずに単に１回だけ記録可能なディスクがあり、これはＢＤ−ＷＯ（Blu-ray Disc Wirte-Once）と呼ばれる。ＢＤ−ＷＯは、繰り返しの書き換えを不要とする場合に有用である。ＢＤ−ＷＯでも欠陥領域の管理が必要になった。
【手続補正８】
【補正対象書類名】明細書
【補正対象項目名】００１８
【補正方法】変更
【補正の内容】
【００１８】
これらの目的と他の利点を達成するため、本明細書で具体化され、広く説明されているように、本発明の目的に従う１回だけ記録可能な光記録媒体の欠陥管理方法は、少なくとも一つの記録層を備えた１回だけ記録可能な光記録媒体の欠陥管理方法を含み、この方法は、光記録媒体上に少なくとも一つの代替領域と、複数の仮欠陥管理領域とを割り当てるステップであって、複数の仮欠陥管理領域が分けて（離れて）備えられるように、割り当てるステップと、複数の仮欠陥管理領域の少なくとも一つに欠陥管理情報を記録するステップと、を備えることを特徴とする。
【手続補正９】
【補正対象書類名】明細書
【補正対象項目名】００５６
【補正方法】変更
【補正の内容】
【００５６】
図９は、本発明の実施形態による単層または二層ＢＤ−ＷＯにおける複数の仮欠陥管理領域（ＴＤＭＡ１〜ＴＤＭＡ４）を使用する方法の他の例を示す図である。しかしながら、図８のみならず、図９に示す例は、図１２に示すＴＤＭＡフル・フラグ、及び図１３に示す関連する構造についての例を説明すると、より良く理解されよう。
【手続補正１０】
【補正対象書類名】明細書
【補正対象項目名】００７７
【補正方法】変更
【補正の内容】
【００７７】
本発明において、本発明の要旨と思想を逸脱することなく、種々の変更や変形が可能であることは、当該発明の属する技術分野の当業者にとっては自明なことであり、従って、本発明の変更および変形が、特許請求の範囲及びその均等な範囲内に入るなら、それらは本発明に属するということを意図している。